(57)【要約】【課題】電源投入後に、画面が非表示されることを解消した液晶表示装置を提供する。【解決手段】外部同期信号１９の有無を検知する検知部１３と、記憶部７と、記憶部７内の内部画像データ４３が入力され、外部画像データ１８が入力され、かつ第１選択信号２０が入力される切替部１４と、液晶パネル１１と、液晶パネル１１を駆動する信号駆動部９および走査駆動部１０と、各駆動部９，１０に対し、少なくとも各タイミング信号を出力するタイミング制御部１６とを備え、検知部１３は外部同期信号１９が無い事を検知した場合、第１選択信号２０の選択状態に応じて、切替部１４はタイミング制御部１６に対し、内部画像データ４３又は設定画面データ４３Ａを出力する。【選択図】図１
2007148204.tif 000002
【特許請求の範囲】
【請求項１】
外部同期信号の有無を検知する検知部と、記憶部と、前記記憶部内の内部画像データが入力され、外部画像データが入力され、かつ第１選択信号が入力される切替部と、液晶パネルと、前記液晶パネルを駆動する信号駆動部および走査駆動部と、各駆動部に対し、少なくとも各タイミング信号を出力するタイミング制御部とを備え、前記検知部は前記外部同期信号が無い事を検知した場合、前記第１選択信号の選択状態に応じて、前記切替部は前記タイミング制御部に対し、前記内部画像データ又は設定画面データを出力する事を特徴とする液晶表示装置。
【請求項２】
前記第１選択信号が第１状態に選択された場合、前記切替部は、ロゴを表示する前記内部画像データを出力する事を特徴とする請求項１の液晶表示装置。
【請求項３】
前記第１選択信号が第２状態に選択された場合、前記切替部は、前記内部画像データを設定画面データに変換し、前記設定画面データを出力する事を特徴とする請求項１の液晶表示装置。
【請求項４】
前記記憶部と前記切替部との間に、画像生成部が設けられ、前記画像生成部は、カラーパレットを有する事を特徴とする請求項１の液晶表示装置。
【請求項５】
前記切替部に第２選択信号が入力され、前記第２選択信号の選択状態に応じて、前記切替部は、前記内部画像データの中から、所定の色データを選択する事により、前記設定画面データを生成する事を特徴とする請求項３の液晶表示装置。
【発明の詳細な説明】
【技術分野】
【０００１】
本発明は、液晶表示装置に関する。
【背景技術】
【０００２】
従来、この種の装置は例えば、特許文献１の図１に示されている。この図１によると、入力手段３は外部機器に接続され、外部同期信号ＨＤ，ＶＤと外部画像データＲ，Ｇ，Ｂが入力される。外部画像データＲ，Ｇ，Ｂは、スケーラ１１および伝送器１６を介して、液晶パネル１７に入力される。
【特許文献１】特開２００４−２５２２３４号公報
【発明の開示】
【発明が解決しようとする課題】
【０００３】
上記外部機器が例えば、車載用ナビゲーション本体の場合、電源投入（例えば、車のキーを回す、または、ユーザが上記本体の電源スイッチを押す）した後に、液晶表示装置が画面表示するのに数秒を要する、欠点がある。これは、本体が各種データ（例えば、気温
油量、自己診断等）を揃えた後に、液晶表示装置に対し、外部画像データを出力するからである。
【０００４】
そのため、ユーザは電源投入したのに、画面表示しないので、故障していると、間違うことがある。そこで、本発明は、この様な従来の欠点を考慮し、電源投入後の、画面が非表示される事を解消した液晶表示装置を提供する。
【課題を解決するための手段】
【０００５】
上記課題を解決するために、請求項１の本発明では、外部同期信号の有無を検知する検知部と、記憶部と、前記記憶部内の内部画像データが入力され、外部画像データが入力され、かつ第１選択信号が入力される切替部と、液晶パネルと、前記液晶パネルを駆動する信号駆動部および走査駆動部と、各駆動部に対し、少なくとも各タイミング信号を出力するタイミング制御部とを備え、前記検知部は前記外部同期信号が無い事を検知した場合、前記第１選択信号の選択状態に応じて、前記切替部は前記タイミング制御部に対し、前記内部画像データ又は設定画面データを出力する。
【０００６】
請求項２の本発明では、前記第１選択信号が第１状態に選択された場合、前記切替部は、ロゴを表示する前記内部画像データを出力する。
【０００７】
請求項３の本発明では、前記第１選択信号が第２状態に選択された場合、前記切替部は、前記内部画像データを設定画面データに変換し、前記設定画面データを出力する。
【０００８】
請求項４の本発明では、前記記憶部と前記切替部との間に、画像生成部が設けられ、前記画像生成部は、カラーパレットを有する。
【０００９】
請求項５の本発明では、前記切替部に第２選択信号が入力され、前記第２選択信号の選択状態に応じて、前記切替部は、前記内部画像データの中から、所定の色データを選択する事により、前記設定画面データを生成する。
【発明の効果】
【００１０】
請求項１の構成により、外部同期信号が無い場合、第１選択信号の選択状態に応じて、内部画像データまたは設定画面データが出力されるので、電源投入直後に、画面が表示される。
【００１１】
請求項２の様に、第１選択信号が第１状態に選択された場合、電源投入直後に、ロゴ表示される。この様に、ロゴ表示を好むユーザは、第１状態を選択すれば良く、ユーザの好みに応じた画面を選べる。
【００１２】
請求項３の様に、第１選択信号が第２状態に選択された場合、電源投入直後に、設定画面が表示される。この様に、設定画面を好むユーザは、第２状態を選択すれば良く、ユーザの好みに応じた画面を選べる。
【００１３】
請求項４の様に、画像生成部はカラーパレットを有することにより、記憶部の容量を小さくすることができ、安価な記憶部を用いることができる。
【００１４】
請求項５の様に、第２選択信号の選択状態に応じて、所定の色データを選択できるのでユーザの好みに応じた色を表示する設定画面を選択できる。
【発明を実施するための最良の形態】
【００１５】
以下、本発明を実施するための最良の形態を実施例及び図面を用いて詳細に説明するが以下に述べた実施例は、本発明の技術思想を具体化するための液晶表示装置を例示するものであって、本発明をこの実施例に特定することを意図するものではなく、本発明は特許請求の範囲に示した技術思想を逸脱することなく種々の変更を行ったものにも均しく適用し得るものである。
【実施例】
【００１６】
以下に、図１と図２に従い、本発明の実施例に係る液晶表示装置１を説明する。図１は液晶表示装置１を示すブロック図、図２は液晶表示装置１に用いられる集積回路のブロック図である。
【００１７】
図１において、液晶表示装置１は例えば、コネクタ２と、バス３と、内部電源部４と、集積回路５と、発信器６と、記憶部７と、タイミングコントローラ８と、信号駆動部９と、走査駆動部１０と、液晶パネル１１等から構成されている。
【００１８】
集積回路５は、画像生成部１２と、検知部１３と、切替部１４等からなる。タイミングコントローラ８は、ガンマ回路１５と、タイミング制御部１６等からなる。
【００１９】
車載用ナビゲーション本体は外部電源部１７と、データ源と、同期信号源と、入力部（共に図示せず）等を有している、外部電源部１７はコネクタ２に対し、例えば、直流３．３ボルトを出力する。
【００２０】
データ源はコネクタ２に対し、外部画像データ１８を出力する。同期信号源はコネクタ２に対し、外部同期信号１９を出力する。入力部はコネクタ２に対し、第１選択信号２０および第２選択信号２１を出力する（図２参照）。
【００２１】
内部電源部４の入力側は、コネクタ２を介して、外部電源部１７から、直流３．３ボルトが入力される。内部電源部１７の出力側は例えば、直流−１５ボルト、０ボルト、３．３ボルト、５ボルト、１５ボルトを出力する。
【００２２】
上記直流３．３ボルトは例えば、検知部１３と、切替部１４と、発信器６と、画像生成部１２と、記憶部７と、タイミング制御部１６と、信号駆動部９のロジック部等に供給される。直流−１５ボルトと、１５ボルトは、走査駆動部１０の駆動電圧として、供給される。直流５ボルトは、走査駆動部１０のロジック部に対し、供給される。
【００２３】
コネクタ２とガンマ回路１５との間には、バス３と、マイコン２２と、ＤＡ変換部２３などが設けられている（図２参照）。ガンマ回路１５は例えば、複数のスイッチ類などからなる。
【００２４】
マイコン２２は、ＤＡ変換部２３に対し、複数のシリアルデータを出力する。ＤＡ変換部２３は、各シリアルデータを複数の基準電圧（アナログ値）に変換する。
【００２５】
ガンマ回路１５は、上記複数の基準電圧を、複数の諧調基準電圧２４に切り替える。ガンマ回路１５は、信号駆動部９内の分圧回路に対し、複数の諧調基準電圧を出力する。分圧回路は、信号駆動部９内のＤＡ変換部（図示せず）に対し、複数の諧調基準電圧を出力する。
【００２６】
一方、タイミング制御部１６は、信号駆動部９内のＤＡ変換部に対し、画像データ２５（デジタル値）を出力する。
【００２７】
その結果、上記ＤＡ変換部は、上記画像データ２５に対応する諧調電圧２６（Ｒ，Ｇ，Ｂの各アナログ値）を、液晶パネル１１に対し、出力する。この様に、諧調制御がなされる。
【００２８】
図２に示す様に、内部同期信号発生部２７は、水平カウンタ２８と、デコーダ２９と、垂直カウンタ３０と、デコーダ３０と、デコーダ３１とからなる。水平カウンタ２８には発信器６から、内部ドットクロックが入力される。水平カウンタ２８と、デコーダ２９は接続されている。
【００２９】
デコーダ２９と、垂直カウンタ３０は接続されている。垂直カウンタ３０と、デコーダ３１は接続されている。
【００３０】
デコーダ２９には、Ｈ  ｓｉｚｅ信号が入力される。Ｈ  ｓｉｚｅ信号とは、液晶パネル１１における、水平方向の画素数にマージンを加えた値を示す信号である。
【００３１】
デコーダ３１には、Ｖ  ｓｉｚｅ信号が入力される。Ｖ  ｓｉｚｅ信号とは、液晶パネル１１における、垂直方向の画素数にマージンを加えた値を示す信号である。
【００３２】
上記構成により、デコーダ２９は、内部水平同期信号（水平）３３Ｈおよびデータイネーブル信号３４を出力する。デコーダ３１は、内部同期信号（垂直）３３Ｖを出力する。これらの信号３３Ｈ、３３Ｖ、３４により、内部同期信号３３が構成されている。
【００３３】
図２において、検知部１３は、シフトレジスタ３５と、検知器３６とからなる。シフトレジスタ３５には、内部同期信号（垂直）３３Ｖと、外部同期信号（垂直）１９Ｖが入力される。
【００３４】
検知部１３は、外部同期信号１９の有無を検知する。検知部１３は、外部同期信号１９が無い事を検知すると、切替部１４の第１選択部３８に対し、ロウ状態の検知信号３７を出力する。
【００３５】
画像生成部１２は、内部同期信号発生部２７と、インターフェース回路３９と、色選択部４０とから構成されている。
【００３６】
記憶部７は例えば、フラッシュロム等からなる。画像生成部１２は記憶部７に対し、制御信号４１（読み出し命令を行う信号）と、アドレス信号４２を出力する。
【００３７】
その結果、記憶部７は画像生成部１２に対し、記憶している内部画像データ４３（例えば、特定の会社のロゴを表示するデータ等）を出力する。そして、画像生成部１２は、切替部１４に対し、内部画像データ４３を出力する（図１と図２を参照）。
【００３８】
図２に示す様に、切替部１４は、第１選択部３８と、第２選択部４４とからなり、両者は接続されている。
【００３９】
第１選択部３８には、外部ドットクロック４５と、外部同期信号９と、外部画像データ１８が入力される。また、第１選択部３８には、内部ドットクロック３２と、内部同期信号３３と、内部画像データ４３と、検知信号３７が入力される。
【００４０】
検知部１３は、外部同期信号１９（詳しくは、外部同期信号（垂直）１９Ｖ）が無いことを検知した場合、検知信号３７はロウ状態となる。この時、第１選択部３８は、内部同期信号３３およびクロック信号４６を出力する。
【００４１】
この時、第２選択部４４には、内部画像データ４３と、第１選択信号２０と、第２選択信号２１とが入力される。第１選択信号２０は、第２選択信号２１より優先する。
【００４２】
即ち、第１選択信号２０が第１状態（例えば、ハイ状態）に選択された場合、第２選択部４４は、内部画像データ４３を有効とし、内部画像データ４３を出力する。
【００４３】
また、第１選択信号２０が第２状態（例えば、ロウ状態）に選択された場合、第２選択部４４は、内部画像データ４３を無効とし、内部画像データ４３を出力しない。
【００４４】
この時、第２選択部４４は、第２選択信号２１の選択状態に従う。例えば、第２選択信号２１は４ビットの信号ならば、第１選択状態から第１６選択状態の内、どれか１つの選択状態が決定される。
【００４５】
例えば、第２選択信号が００００の場合（第１状態）、第２選択部４４は、内部画像データ４３の中から、所定の色データ（例えば、全部が白色）を選択し、それを設定画面データ４３Ａとして生成し、出力する。
【００４６】
また、第２選択信号が０００１の場合（第２状態）、第２選択部４４は、所定の色データ（例えば、全部が緑色）を選択し、それを設定画面データ４３Ａとして生成し、出力する。
【００４７】
この様に、切替部１４に第２選択信号２１が入力され、第２選択信号２１の選択状態に応じて、切替部１４は、内部画像データ４３の中から、所定の色データを選択することにより、設定画面データ４３Ａを生成する。
【００４８】
即ち、検知部１３は外部同期信号１９が無いことを検知し、かつ、第１選択信号２０が第２状態（例えば、ロウ状態）の場合、切替部１４は、内部画像データ４３を設定画面データ４３Ａに変換し、設定画面データ４３Ａを出力する。
【００４９】
上記内容を以下にまとめる。記憶部７内の内部画像データ４３が入力され、第１選択信号２０が入力され、外部画像データ１８が入力される切替部１４が設けられる。
【００５０】
検知部１３は、外部同期信号１９が無いことを検知した場合、第１選択信号２０の選択状態（例えば、ハイ状態またはロウ状態）に応じて、切替部１４はタイミング制御部１６に対し、内部画像データ４３または設定画面を出力する。
【００５１】
検知部１３が外部同期信号１９を検知しなく、かつ、第１選択信号２０が第１状態の場合、タイミング制御部１６は、内部同期信号３３と、クロック信号４６と、内部画像データ４３を信号処理する。
【００５２】
その結果、タイミング制御部１６は信号駆動部９に対し、諧調基準電圧２４と、タイミング信号４７（ストローブ信号やスタートパルス等）と、画像データ２５（例えば、ロゴを表示するもの）を出力する。
【００５３】
また、タイミング制御部１６は走査駆動部１０に対し、タイミング信号４８（クロックパルス信号やフレーム信号等）を出力する。
【００５４】
液晶パネル１１は例えば、下ガラス基板上に複数個が形成された信号電極と、複数個が形成された走査電極と、それらの交点近傍に形成されたＴＦＴと、ＴＦＴに接続された画素電極（共に図示せず）を有する。
【００５５】
更に、液晶パネル１１は、上ガラス基板に設けられた共通電極と、カラーフィルタと、下ガラス基板と上ガラス基板との間に設けられた液晶（共に図示せず）等を有する。
【００５６】
信号駆動部９は、液晶パネル１１に設けられた各信号電極に対し、各諧調電圧２６を出力し、液晶パネル１１を駆動するものである。
【００５７】
走査駆動部１０は、液晶パネル１１に設けられた各走査電極に対し、走査電圧４９を出力し、液晶パネル１１を駆動するものである。
【００５８】
この様にして、上記の場合、液晶パネル１１は、内部画像データ４３に従って、ロゴ等を表示する。
【００５９】
次に、検知部１３が外部同期信号１９を検知しなく、かつ、第１選択信号２０が第２状態の場合、タイミング制御部１６は、内部同期信号３３と、クロック信号４６と、設定画面データ４３Ａを信号処理する。
【００６０】
その結果、タイミング制御部１６は信号駆動部９に対し、諧調基準電圧２４と、タイミング信号４７と、画像データ２５Ａ（設定画面データに従うものであるが、図示せず）を出力する。
【００６１】
また、タイミング制御部１６は走査駆動部１０に対して、タイミング信号４８を出力する。
【００６２】
その結果、液晶パネル１１は、上記設定画面データ４３Ａに従う設定画面（例えば、全画面が緑色など）を表示する。
【００６３】
その後、検知部１３は外部同期信号１９を検知した場合、タイミング制御部１６は、外部同期信号１９と、クロック信号４６Ａ（図示せず）と、外部画像データ１８を信号処理する。
【００６４】
その結果、タイミング制御部１６は、信号駆動部９に対し、諧調基準電圧２４と、タイミング信号４７Ａ（図示せず）と、画像データ２５Ｂ（外部画像データ１８に従うものであるが、図示せず）を出力する。
【００６５】
タイミング制御部１６は、走査駆動部１０に対し、タイミング信号４８Ａ（図示せず）を出力する。
【００６６】
その結果、液晶パネル１１は例えば、車載用ナビゲーション本体から送られた外部画像データ１８に従う表示を行う。
【００６７】
次に、主に図２に従い、画像生成部１２を説明する。画像生成部１２は、内部同期信号発生部２７と、インターフェース回路３９と、色選択部４０とから構成されている。
【００６８】
インターフェース回路３９は、カウンタ５０と、コントローラ５１と、選択部５２と、レジスタ５３とから構成されている。カウンタ５０とコントローラ５１は、接続されている。選択部５２は、カウンタ５０と、コントローラ５１と、レジスタ５３に接続されている。
【００６９】
カウンタ５０は記憶部４２に対し、アドレス信号４２を出力する。記憶部７は選択部５２に対し、１６ビット毎の内部画像データ４３を出力する。
【００７０】
色選択部４０は、第１選択部５５ａと、第２選択部５５ｂと、第３選択部５５ｃと、・・第１６選択部５５ｐ（合計１６個の選択部）と、選択部５４とからなる。
【００７１】
この様に、記憶部７と、切替部１４との間に、画像生成部１２が設けられている。画像生成部１２は、カラーパレット（即ち、第１選択部５５ａ〜第１６選択部５５ｐ）を有している。
【００７２】
次に、この色選択部４０の動作を説明する。カラーパレット（５５ａ〜５５ｐ）は１６個ある。
【００７３】
電源投入直後に、記憶部７から、各カラーパレット（５５ａ〜５５ｐ）に対して、各々色情報（Ｒ，Ｇ，Ｂ×６ビット＝１８ビット）が格納される。
【００７４】
インターフェース回路３９は記憶部７から、１６ビットずつの内部画像データ４３を読み込む。
【００７５】
１個の１６ビットデータにつき、４画素分の画像データが入っている（１画素が４ビット）。選択部５４は記憶部７から、１６ビットのデータを読み込む。
【００７６】
選択部５４は、１６ビットのデータから、４ビットのデータを選択する。４ビットのデータは、１６通りを示す。例えば、データが００００ならば、第１選択部５５ａを示す。データが０００１ならば、第２選択部５５ｂを示す。
【００７７】
仮に、選択部５４が００００のデータを出力すると、第１選択部５５ａが選択される。第１選択部５５ａは、１８ビットの画像データを出力し、第１画素から第４画素までのデータが出力される。
【００７８】
次に、記憶部７から、第２回目の１６ビットの内部画像データ４３が出力されると、上述した第１回目の動作と同じ動作を繰り返す。この様にして、第５画素から第８画素までのデータが出力される。この様に、第２回目の画像データが書き込まれる。
【００７９】
また、液晶パネル１１において、第１フレームの画像データ２５の表示（例えば、１／６０  秒間）が終わると、各カラーパレット（５５ａ〜５５ｐ）の色データ（１８ビット）を、書き換えることができる。
【００８０】
各カラーパレット（５５ａ〜５５ｐ）を使うと、４ビット×画素分のデータを、記憶部７がメモリすれば良い。従って、カラーパレットを使わない時に比べ、カラーパレットを使うならば、記憶部７のメモリ容量は、約４／１８＝２２．２％に縮小できる。
【図面の簡単な説明】
【００８１】
【図１】本発明の実施例に係る液晶表示装置１のブロック図である。
【図２】液晶表示装置１に用いられる集積回路５のブロック図である。
【符号の説明】
【００８２】
７  記憶部
９  信号駆動部
１０  走査駆動部
１１  液晶パネル
１２  画像生成部
１３  検知部
１４  切替部
１６  タイミング制御部
１８  外部画像データ
１９  外部同期信号
２０  第１選択信号
２１  第２選択信号
４３  内部画像データ
【図１】
2007148204.tif 000003
【図２】
2007148204.tif 000004